(57)【特許請求の範囲】
【請求項１】
パレットからなる荷物運搬具（２）に締結できる棒状の締結要素（３）と前記締結要素（３）と協調して樽からなる被輸送物（１）と係合する保持要素（４）とを備えて、前記パレット（２）に樽（１）を固定する装置であって、
前記締結要素（３）が、ねじとして構成され、
前記ねじとして構成された締結要素（３）が、前記保持要素（４）と協調する端部にねじ頭（６）を備えているとともに、前記パレット（２）に直接締結するねじの一端部にセルフタップねじ山（５）を備えていることを特徴とする装置。
【請求項２】
前記保持要素（４）が、前記ねじ用の貫通孔（８）を備えていることを特徴とする、請求項１に記載の装置。
【請求項３】
前記保持要素（４）が、前記被輸送物（１）の周縁部を収容する少なくとも１つの円弧状のポケットまたは溝（７）を備えていることを特徴とする、請求項１または請求項２に記載の装置。
【請求項４】
前記保持要素（４）が、プラスチックから形成されていることを特徴とする、請求項１乃至請求項３のいずれか一項に記載の装置。
【請求項５】
前記保持要素（４）が、アルミニウムまたは鋼鉄の板金である金属から形成されていることを特徴とする、請求項１乃至請求項３のいずれか一項に記載の装置。
【請求項６】
前記保持要素（４）が、前記ポケット又は溝（７）の領域に、プラスチック、ゴム等から作成された、減衰のための部分または挿入物を備えていることを特徴とする、請求項３に記載の装置。
【発明の詳細な説明】
【技術分野】
【０００１】
詳細にはパレットである荷物運搬具に被輸送物を固定する装置であって、荷物運搬具に締結することができる棒状の締結要素と、被輸送物に係合する保持要素とを備え、保持要素が締結要素と協調する装置である。
【背景技術】
【０００２】
該当する部類の製品は、先行技術より知られている。
たとえば、独国特許第４１１１６９２号は、トレイパレット１０に締結されるブラケット２６を備える、樽の輸送パレットであって、ブラケット２６が、棒状の締結要素２４と、追加のブラケット３０により締結要素２４に締結される保持要素３８、４２とを備える輸送パレットに関する。
これにより、樽を、特別に構成された輸送パレットに固定することができる。
加えて、特開２０１０−２７６５７７は、樽を固定する装置であって、フォーク状の端部３を備える締結要素１を備え、端部３により締結要素１を当該目的に適応したパレットに係合させることができる装置に関する。
さらに締結要素１は、パレットから離れる方向を向く端部にねじ山４を備え、締結要素１と協調する保持要素２をナット６で締結要素１に締結することができる。
【発明の概要】
【発明が解決しようとする課題】
【０００３】
被輸送物を固定する既知の装置の欠点は、特別に、製造または適応された荷物運搬具でしか使用できないことである。
様々な荷物運搬具のユニバーサルな使用可能性は、実現されない。
また、既知の固定装置は、扱いが難しいという問題も抱えている。
たとえば、上述した固定装置は、複数の異なる構成要素から成り、それらの構成要素を締結手順時に保持し、および／または慎重に係合させなければならない。
または、１つの樽のみを固定する場合でも、複数の締結要素および／または配置要素を扱わなければならない。
【０００４】
よって本発明は、上述した種類の装置を、被輸送物の安定した締結を促進しつつユニバーサルな使用可能性と扱いやすさとを実現することを課題とする。
【課題を解決するための手段】
【０００５】
本発明によると、上記課題は、請求項１に記載の特徴を備える装置により対処される。
これに従い、このような装置は、荷物運搬具に締結するねじ山が締結要素の端部に形成される態様で設計および開発される。
【０００６】
本発明に係る態様によると、本発明では、締結要素を荷物運搬具に直接締結できる場合に、被輸送物を固定するための扱いやすさが促進されることをまず認識する。
この目的のために、締結要素の端部に形成されたねじ山が、荷物運搬具への締結に使用される。
これにより、パレット等の荷物運搬具に締結要素を直接締結できるため、本発明に係る装置の特に簡潔かつ強力な設計が促進される。
この場合、締結は、片側のみから、すなわち、締結要素を上方からねじ込んで取り付けることによって、実現される。
これは、ユニバーサルな使用可能性をも支援する。
なぜなら、そのような締結方法は、任意の種類の荷物運搬具への締結を支援し、よって貨物輸送業界で広く使用されているユーロパレット（Ｅｕｒｏ  ｐａｌｌｅｔ）等のパレットへの締結も支援するからである。
これにより、保持要素および自らのねじ山を介して機能する締結要素が、荷物運搬具に向けて高い張力を作用させることができるため、被輸送物が荷物運搬具に特に安定して締結される。
これにより、被輸送物が荷物運搬具に確実に固定され、よって荷物運搬具が傾いたときでも安定して保持される。
ストラップ、シート、またはロープによる追加的な固定は不要である。
結果として、扱いやすさを実現しながら、被輸送物が強力に保持される。
【０００７】
よって、本発明に係る装置は、被輸送物を安定して締結しつつユニバーサルな使用可能性と扱いやすさとを実現する、上述した種類の装置となる。
【０００８】
本件において、被輸送物という用語は、幅広い意味で解釈されるものとする。
たとえば、固定される被輸送物は、コンテナ、樽、ドラム缶等である。
締結要素の端部にあるねじ山は、セルフタップねじ山として形成することができる。
この場合、ねじ山を木ねじまたは板金ねじのねじ山のように設計して、締結要素を荷物運搬具自体に締結する際に、ねじ山に一致する相手ねじ山が荷物運搬具に作成されるようにすることができる。
締結要素のねじ山は、外ねじ山である。
セルフタップねじ山として設計することにより、荷物運搬具に準備を施すことなく、任意の種類の荷物運搬具で装置を使用することが促進される。
この点に関し、装置は、たとえば、従来型のユーロパレットで使用することができる。このとき、パレットの継続的な使用を妨げるような損傷ができないため、その後、パレットを典型的な態様で再利用することができる。
よって、特別に準備または製作された荷物運搬具またはパレットを用意する必要はない。
【０００９】
代替の設計として、ねじ山は、メートルねじ山またはインチねじ山として形成することができ、ねじ山に一致する相手ねじ山を、荷物運搬具に形成することができる。
たとえば、ねじ山に一致する相手ねじ山を、荷物運搬具に締結されるブシュまたはスリーブの内ねじ山として形成することが考えられる。
この場合、相手ねじ山は、メートルねじ山またはインチねじ山として構成された締結要素の外ねじ山に一致する。
荷物運搬具が積載状態にあるときに締結要素を特に簡単に配置するための手段として、ブシュまたはスリーブの荷物運搬具から離れる方向を向く端部に、ブシュまたはスリーブが被輸送物により隠されるために荷物運搬具への積載を行っている作業者からブシュまたはスリーブが見えなくなったときでも締結要素の簡単な態様での挿入を促進する円錐部および／または直径拡大部を設けることができる。
【００１０】
詳細には、保持要素は、締結要素用の貫通孔または穴を備えることができ、締結要素は、保持要素への接触面として拡径部を備えることができる。
これにより、強力な接合のための簡潔な設計が実現し、保持要素と締結要素の相互作用によって大きな力が伝達され、被輸送物を荷物運搬具に安定して締結することができる。
作業者が負傷する危険性を回避するため、貫通孔に、詳細には円錐状の座ぐり穴または円筒状の凹部である、座ぐり穴または凹部を設けて、締結要素の拡径部がポケット、凹部、または座ぐり穴で支持されるようにすることが考えられる。
【００１１】
締結要素は、保持要素と相互作用する端部に、ねじ頭を備えることができる。
ねじ頭は、皿頭の形状で構成することができる。
これにより、拡径部がねじ頭として構成されるため、簡潔な設計が実現する。
ポケットまたは凹部が設けられている場合、ねじ頭をその中に完全に収容することができ、保持要素と実質的に面一となる。
貫通孔の座ぐり穴と、皿頭の形状をしたねじ頭の設計とは、表面積が大きくなることに起因して大きな張力が伝えられるという点で、有利である。
代替の有利な実施形態では、ねじ頭を、好ましくは押圧型である座金を備えた平頭または皿鍋頭として構成することができる。
この場合も、被輸送物を荷物運搬具にきわめて安定して締結することができる。
【００１２】
特に簡潔な設計実装として、締結要素は、ねじとして構成することができる。
これにより、扱いやすさに加えて、ねじに大きな力を作用させ、被輸送物を荷物運搬具に安定して締結することができる。
ねじは、六角穴、プラス溝、ポジドライブ、トルクスねじ頭駆動部などの多様なねじ頭駆動機構を備えることができる。
ローレットねじまたは蝶ねじの形状をしたねじ頭駆動部を備えた構成も同様に考えられる。
これにより、工具を使わずに、ねじを締めたり緩めたりすることが可能となる。
これは詳細には、締結要素のねじ山がメートルねじ山またはインチねじ山として形成され、ねじ山に一致する相手ねじ山が形成されている場合に、装置の扱いやすさを実現するのに役立つ。
【００１３】
保持要素は、被輸送物の周縁部を収容する少なくとも１つの円弧状のポケットまたは溝を備えることができる。
この場合のポケットまたは溝は、幅広い意味で解釈されるものであり、したがって、被輸送物の周縁部を相補的な態様で収容する任意の構成を意味する。
よって、この構成は、保持要素に形成されたポケット、溝、凹部、または窪みである。
【００１４】
保持要素の設計実装に関し、保持要素は、プラスチックから作成されることが考えられる。
これにより、プラスチックの軽い重量に加えて、耐腐食性のある設計が実現する。
また、これにより、被輸送物の損傷が、概ね防止される。
ドラム缶や樽等の被輸送物と係合するために、保持要素は、プラスチックから作成されている場合に、円弧状のポケットまたは溝を備えることができる。
保持要素が２個または４個の円弧状のポケットを備えている場合、保持要素を使用して、すなわち、１つの締結要素を荷物運搬具に締結するだけで、２個または４個の樽やドラム缶を荷物運搬具にそれぞれ固定することができる。
だたし、３個の円弧状のポケットを備える設計も有益である。
この場合、樽やドラム缶などの３個の被輸送物を安定して締結することができる。
この目的のために、保持要素を本質的に三角形の形状とし、好ましくは、三角形の角の部分に、ポケットを設けることができる。
【００１５】
保持要素は、詳細にはアルミニウムまたは鋼鉄の板金である、金属から設計することもできる。
これにより、保持要素の強固な設計が促進される。
鋼鉄の板金は、弾性が高いため、鋼鉄の板金から設計した場合は、保持要素の弾性変形を伴わずに、高い締付力を被輸送物に作用させることができる。
保持要素は、締付／プレス工程により、容易かつ低コストに製造することができる。
保持要素の形状安定性を高めるために、圧痕または周縁部を強化目的で形成することができる。
【００１６】
減衰を目的として、保持要素は、ポケットまたは溝の領域に、プラスチックまたはゴム等から作成された部分または挿入物を備えることができる。
この部分または挿入物により、被輸送物の損傷を防ぐことができる。
また、これによって、被輸送物の周縁部との特に安定した係合が促進され、この部分または挿入物に起因する相補的な係合が有利に実現される。
【００１７】
この時点で、本発明の教示を有利な態様で開発および実装するための多様な選択肢が存在する。
この目的のために、一方では、請求項１に従属する請求項が参照され、他方では、本発明の好ましい実施形態についての以下の説明が、添付の図面と共に参照される。
図面に基づく好ましい実施形態についての説明に加えて、本教示の他の一般的に好ましい実施形態および実装についても説明する。
【図面の簡単な説明】
【００１８】
【図１】本発明に係る装置の実施形態の部分断面図である。
【図２】本発明に係る装置の保持要素の第１実施形態の平面図である。
【図３】本発明に係る装置の保持要素の第２実施形態の平面図である。
【図４】本発明に係る装置の保持要素の第２実施形態のＡ−Ａ線に沿った側方断面図である。
【発明を実施するための形態】
【００１９】
図１は、本発明に係る装置の実施形態を部分断面図として示している。
この装置は、被輸送物１を荷物運搬具２に固定するために使用される。
本実施形態における荷物運搬具２は、パレット２として構成されている。
装置は、パレット２に締結することができる棒状の締結要素３と、締結要素３と協調して被輸送物１と係合する保持要素４とを備えている。
本実施形態における被輸送物１は、樽１である。
【００２０】
本実施形態における締結要素３は、パレット２に対向する端部にセルフタップねじ山５を備えるねじ３として構成されている。
ねじ３は、皿頭として構成されたねじ頭６を備えている。
保持要素４は、樽１に対向する側に、樽１の周縁部に相補的な態様で係合することができる円弧状のポケット７を備えている。
【００２１】
保持要素４は、ねじ３用の貫通孔８または穴８を備えている。
ねじ頭６は、ポケット９に収容される。
ねじ頭６は、トルクス形状のねじ頭駆動部をさらに備えている。
ドライバーや電動ドライバーなどの適切な工具を使用して、ねじ３をパレット２に締結し、後で緩めることができる。
【００２２】
樽１は、以下のようにして、パレット２に固定される。
【００２３】
２個または４個の樽等である樽１は、まず、パレット２に配置される。
次に、保持要素４が、ポケットまたは溝７が樽１の周縁部に相補的な態様で係合するように、樽１に配置される。
次に、ドライバーや電動ドライバーなどの適切な工具を使用して、ねじ３がパレット２に締結される。
これにより、パレット２への樽１の安定した強固な取り付けが実現される。
【００２４】
図２は、本発明の保持要素４の第１実施形態の平面図である。
保持要素４は、長方形または正方形の設計を有し、面取りまたは丸められた縁部１０を備える。
これらの縁部１０は、わかりやすくするために、単一の参照符号のみで示されている。
ねじ３用の貫通孔８が、保持要素４の中央に形成されている。
保持要素４は、樽１の周縁部と相補的な態様で係合する円弧状の溝７を備えている。
溝７は、本質的に半円形の断面を有し、それによって樽１の周縁部との相補的な係合を促進する。
本実施形態に係る保持要素４は、プラスチックから作成される。
【００２５】
図３は、本発明に係る装置の保持要素４の第２実施形態を示す平面図である。
保持要素４は、本質的に菱形の基本形状を有し、樽１の周縁部を収容するポケットまたは溝７が、保持要素４の周縁部に形成されている。
ねじ３用の貫通孔８が、保持要素４の中央に形成されている。
本実施形態における保持要素４は、鋼鉄の板金から作成され、プレスおよび／またはスタンピング工程を利用して製作される。
【００２６】
図４は、本発明に係る装置の保持要素４の第２実施形態のＡ−Ａ断面（図３を参照）に沿った側方断面図である。
本実施形態におけるポケットまたは溝７は、樽１の周縁部を相補的な態様で収容するように設計された窪み７として形成されている。
【００２７】
本発明に係る装置のその他の有利な実施形態については、反復を避けるため、明細書の概要部分と、添付の特許請求の範囲とを参照されたい。
【００２８】
最後に、本発明に係る装置の上述した実施形態は、特許請求の範囲に記載された教示を説明するためにのみ使用されるものであり、当該教示が、実施形態に限定されるわけではないことに特に留意されたい。
【符号の説明】
【００２９】
１  ・・・被輸送物（樽）
２  ・・・荷物運搬具（パレット）
３  ・・・締結要素（ねじ）
４  ・・・保持要素
５  ・・・ねじ山
６  ・・・ねじ頭
７  ・・・ポケット（溝）
８  ・・・貫通孔（穴）
９  ・・・凹部（座ぐり穴）
１０  ・・・面取り（丸め）
【図１】
0006314224.tif 000002
【図２】
0006314224.tif 000003
【図３】
0006314224.tif 000004
【図４】
0006314224.tif 000005